(57)【要約】  タッチパネル（１１２）は、指またはポインティングデバイスの接触を検出する。制御部（１４０）は、タッチパネル（１１２）への接触に基づくタッチ操作に応じた処理を実行する。検知部（１３０）は、第１の装置（２００）に対する第２の装置（１００）の着脱を検知する。制御部（１４０）は、検知部（１３０）が第１の装置（２００）に対する第２の装置（１００）の取り外し又は取り付けを検知した状態で、タッチパネル（１１２）が指またはポインティングデバイスの接触を検出した場合、タッチパネル（１１２）への入力の受け付けを停止する。そして、制御部（１４０）は、受け付けを停止した後、タッチパネル（１１２）が、指またはポインティングデバイスがタッチパネル（１１２）から離れたことを検出したときに、タッチパネル（１１２）への入力の受け付けを再開する。
2018123230.tif 000002
【特許請求の範囲】
【請求項１】
第１の装置と、前記第１の装置に着脱可能な第２の装置とを含む電子機器であって、
前記第２の装置は、
指またはポインティングデバイスの接触を検出するタッチパネルと、
前記タッチパネルへの接触に基づくタッチ操作に応じた処理を実行する制御部と、
前記第１の装置に対する前記第２の装置の着脱を検知する検知部と、
を備え、
前記制御部は、
前記検知部が前記第１の装置に対する前記第２の装置の取り外し又は取り付けを検知した状態で、前記タッチパネルが前記指またはポインティングデバイスの接触を検出した場合、前記タッチパネルへの入力の受け付けを停止し、
受け付けを停止した後、前記タッチパネルが、前記指またはポインティングデバイスが前記タッチパネルから離れたことを検出したときに、前記タッチパネルへの入力の受け付けを再開する、
電子機器。
【請求項２】
前記第２の装置は、前記タッチパネルが配置される表示部を備え、
前記第１の装置は、前記第２の装置に対する入力を行うための操作部を備える、請求項１に記載の電子機器。
【請求項３】
前記第１の装置は、スライドレバーを備え、
前記検知部は、前記スライドレバーが操作されることによって、前記第１の装置に対する前記第２の装置の着脱を検知する、
請求項１又は２に記載の電子機器。
【請求項４】
外部装置に着脱可能なタブレット端末であって、
指またはポインティングデバイスの接触を検出するタッチパネルと、
前記タッチパネルへの接触に基づくタッチ操作に応じた処理を実行する制御部と、
前記外部装置に対する前記タブレット端末の着脱を検知する検知部と、
を備え、
前記制御部は、
前記検知部が前記外部装置に対する前記タブレット端末の取り外し又は取り付けを検知した状態で、前記タッチパネルが指またはポインティングデバイスの接触を検出した場合、前記タッチパネルへの入力の受け付けを停止し、
受け付けを停止した後、前記タッチパネルが、前記指またはポインティングデバイスが前記タッチパネルから離れたことを検出したときに、前記タッチパネルへの入力の受け付けを再開する、
タブレット端末。
【請求項５】
第１の装置と、前記第１の装置に着脱可能な第２の装置とを含む電子機器の入力制御方法であって、
前記第２の装置は、
指またはポインティングデバイスの接触を検出するタッチパネルと、
前記タッチパネルへの接触に基づくタッチ操作に応じた処理を実行する制御部と、
前記第１の装置に対する前記第２の装置の着脱を検知する検知部と、
を備え、
前記入力制御方法は、
前記検知部が前記第１の装置に対する前記第２の装置の取り外し又は取り付けを検知した状態で、前記タッチパネルが前記指またはポインティングデバイスの接触を検出した場合、前記タッチパネルへの入力の受け付けを停止するステップと、
受け付けを停止した後、前記タッチパネルが、前記指またはポインティングデバイスが前記タッチパネルから離れたことを検出したときに、前記タッチパネルへの入力の受け付けを再開するステップと、
を含む、入力制御方法。
【請求項６】
コンピュータに請求項５に記載の入力制御方法を実行させるためのプログラム。
【発明の詳細な説明】
【技術分野】
【０００１】
本開示は、タッチパネルを備えた電子機器、タブレット端末、入力制御方法、及びプログラムに関する。
【背景技術】
【０００２】
特許文献１は、タッチパネルを備えた電子機器と、キーボード及びタッチパッドを備えた入力機器とを開示している。電子機器は、入力機器に着脱可能に接続される。この電子機器は、入力機器に接続されているときはタッチパネルの位置の検出機能を無効にしている。これにより、電力の消費を抑えることを可能にしている。
【先行技術文献】
【特許文献】
【０００３】
【特許文献１】特開２０１４−１０９８９３号公報
【発明の概要】
【０００４】
本開示は、誤動作を防ぐ電子機器、タブレット端末、入力制御方法、及びプログラムを提供する。
【０００５】
本開示の電子機器は、第１の装置と、第１の装置に着脱可能な第２の装置とを含む。第２の装置は、タッチパネルと、制御部と、検知部とを備える。タッチパネルは、指またはポインティングデバイスの接触を検出する。制御部は、タッチパネルへの接触に基づくタッチ操作に応じた処理を実行する。検知部は、第１の装置に対する第２の装置の着脱を検知する。制御部は、検知部が第１の装置に対する第２の装置の取り外し又は取り付けを検知した状態で、タッチパネルが指またはポインティングデバイスの接触を検出した場合、タッチパネルへの入力の受け付けを停止する。そして、制御部は、受け付けを停止した後、タッチパネルが、指またはポインティングデバイスがタッチパネルから離れたことを検出したときに、タッチパネルへの入力の受け付けを再開する。
【０００６】
本開示のタブレット端末は、外部装置に着脱可能であって、タッチパネルと、制御部と、検知部とを備える。タッチパネルは、指またはポインティングデバイスの接触を検出する。制御部は、タッチパネルへの接触に基づくタッチ操作に応じた処理を実行する。検知部は、外部装置に対するタブレット端末の着脱を検知する。制御部は、検知部が外部装置に対するタブレット端末の取り外し又は取り付けを検知した状態で、タッチパネルが指またはポインティングデバイスの接触を検出した場合、タッチパネルへの入力の受け付けを停止する。そして、制御部は、受け付けを停止した後、タッチパネルが、指またはポインティングデバイスがタッチパネルから離れたことを検出したときに、タッチパネルへの入力の受け付けを再開する。
【０００７】
本開示の入力制御方法は、第１の装置と、第１の装置に着脱可能な第２の装置とを含む電子機器の入力制御方法である。第２の装置は、タッチパネルと、制御部と、検知部とを備える。タッチパネルは、指またはポインティングデバイスの接触を検出する。制御部は、タッチパネルへの接触に基づくタッチ操作に応じた処理を実行する。検知部は、第１の装置に対する第２の装置の着脱を検知する。入力制御方法は、検知部が第１の装置に対する第２の装置の取り外し又は取り付けを検知した状態で、タッチパネルが指またはポインティングデバイスの接触を検出した場合、タッチパネルへの入力の受け付けを停止するステップと、受け付けを停止した後、タッチパネルが、指またはポインティングデバイスがタッチパネルから離れたことを検出したときに、タッチパネルへの入力の受け付けを再開するステップとを含む。
【０００８】
本開示のプログラムは、コンピュータに上記入力制御方法を実行させる。
【０００９】
本開示における電子機器、タブレット端末、入力制御方法、及びプログラムは、誤動作を防ぐことを可能にする。
【図面の簡単な説明】
【００１０】
【図１Ａ】図１Ａは、本開示の実施の形態１における情報処理装置の斜視図である。
【図１Ｂ】図１Ｂは、本開示の実施の形態１における情報処理装置の斜視図である。
【図２】図２は、実施の形態１における情報処理装置の構成を示すブロック図である。
【図３Ａ】図３Ａは、実施の形態１における着脱検知動作を説明するための図である。
【図３Ｂ】図３Ｂは、実施の形態１における着脱検知動作を説明するための図である。
【図４】図４は、実施の形態１におけるタッチ入力の制御を説明するためのフローチャートである。
【発明を実施するための形態】
【００１１】
（課題）
ベース装置（第１の装置）と、ベース装置に着脱可能なタブレット端末（第２の装置）とを含む電子機器がある。この電子機器のユーザは、タブレット端末を手で掴んで、ベース装置からタブレット端末を取り外す。同様に、タブレット端末をベース装置に取り付けるときも、ユーザはタブレット端末を手で掴む。このとき、ユーザの手がタブレット端末のタッチパネルに触れると、タブレット端末は手の接触に応じて動作してしまう。よって、ベース装置に対してタブレット端末を着脱する時に、ユーザが意図していない誤動作が発生する場合があった。本開示は、タブレット端末の着脱時に誤動作が発生することを防ぐ電子機器を提供する。以下、本開示の電子機器について、詳細を説明する。
【００１２】
（実施の形態１）
１．構成
１．１  全体の構成
図１Ａ及び図１Ｂは、本開示の実施の形態１に係る電子機器の一例である情報処理装置の外観を示している。本実施の形態の情報処理装置１は、タブレット端末１００と、タブレット端末１００を取り付け可能なベース装置２００とを備える。図１Ａは、タブレット端末１００がベース装置２００に取り付けられた状態を示している。図１Ｂは、タブレット端末１００がベース装置２００から取り外された状態を示している。図１Ａ及び図１Ｂに示すように、タブレット端末１００はベース装置２００に対して着脱可能である。タブレット端末１００がベース装置２００に装着されているときは、情報処理装置１をノートブック型コンピュータとして利用することができる（図１Ａ参照）。また、タブレット端末１００は単体でも使用可能であり、タブレット端末１００をタブレット型コンピュータとして利用することができる（図１Ｂ参照）。このように情報処理装置１は、所謂デタッチャブル型コンピュータである。
【００１３】
１．２  タブレット端末の構成
図２は、情報処理装置１の構成を示している。タブレット端末１００は、タッチスクリーン１１０と、コネクタ１２０と、着脱検知部１３０と、制御部１４０と、記憶部１５０と、通信部１６０と、バッテリ１７０とを備える。
【００１４】
タッチスクリーン１１０は、図１Ａ及び図１Ｂに示すように筐体の一主面に設けられる。タッチスクリーン１１０は、ディスプレイ１１１とタッチパネル１１２とを含む。ディスプレイ１１１は、例えば、液晶ディスプレイ又は有機ＥＬディスプレイで構成される表示部である。タッチパネル１１２は、ディスプレイ１１１の表面に設けられる。タッチパネル１１２は、使用者の指又はポインティングデバイス（例えば、ペン）の接触を検出する。タッチパネル１１２は、例えば電極膜を含む。制御部１４０は、例えば、指やポインティングデバイスがタッチパネル１１２に接触することによって生じる電圧の変化又は静電容量の変化を測定することによって、指やポインティングデバイスの接触位置を特定することができる。
【００１５】
コネクタ１２０は、タブレット端末１００とベース装置２００とを電気的に接続するための接続端子を含む。着脱検知部１３０は、タブレット端末１００がベース装置２００に装着されているか否かを検出する。
【００１６】
制御部１４０は、情報処理装置１全体を制御する。制御部１４０は、半導体素子などで実現可能である。制御部１４０は、例えば、マイクロコントローラ、ＣＰＵ（Central Processing Unit）、ＭＰＵ（Micro Processing Unit）、ＤＳＰ（Digital Signal Processor）、ＦＰＧＡ（Field Programmable Gate Array）、ＡＳＩＣ（Application Specific Integrated Circuit）で構成することができる。制御部１４０の機能は、ハードウェアのみで構成してもよいし、ハードウェアとソフトウェアとを組み合わせることにより実現してもよい。記憶部１５０は、例えば、ＲＯＭ（Read Only Memory）、ＳＳＤ（Solid State Drive）、ＲＡＭ（Random Access Memory）、ＤＲＡＭ（Dynamic Random Access Memory）、強誘電体メモリ、フラッシュメモリ、又は磁気ディスク、又はこれらの組み合わせによって実現できる。
【００１７】
記憶部１５０には、オペレーティングシステム（ＯＳ）１５１、種々のアプリケーションプログラム（ＡＰ）１５２、及び種々のデータ等が格納されている。制御部１４０は、オペレーティングシステム１５１、アプリケーションプログラム１５２、及び種々のデータを読み込んで演算処理を実行することにより、種々の機能を実現する。アプリケーションプログラム１５２は、オペレーティングシステム１５１のアプリケーションプログラミングインターフェース（ＡＰＩ）を使用できる。例えば、制御部１４０がアプリケーションプログラム１５２を起動中、アプリケーションプログラム１５２は、オペレーティングシステム１５１のＡＰＩを使用して、使用者の指又はポインティングデバイスがタッチパネル１１２に接触している位置の座標を取得することができる。
【００１８】
通信部１６０は、所定の通信規格（例えばＬＡＮ（Local Area Network）、Ｗｉ−Ｆｉ）に準拠して外部機器との通信を行うためのインタフェース回路を備える。バッテリ１７０は、例えば、充電可能な二次電池（例えば、リチウムイオン電池）である。
【００１９】
１．３  ベース装置の構成
ベース装置２００は、操作部２１０と、コネクタ２２０と、スライドレバー２３０と、外部接続端子２４０と、バッテリ２５０とを備える。
【００２０】
操作部２１０は、ユーザが入力操作を行うためのタッチパッド２１１とキーボード２１２とを含む。コネクタ２２０は、タブレット端末１００とベース装置２００とを電気的に接続するための接続端子を含む。
【００２１】
スライドレバー２３０は、タブレット端末１００をベース装置２００から取り外し可能にするための部材である。ベース装置２００は、タブレット端末１００が装着されたときにタブレット端末１００の保持状態をロックするロック機構（図示せず）を備えている。タブレット端末１００がベース装置２００に装着され、ロックされた状態において、ユーザにより、スライドレバー２３０がベース装置２００の長手方向にスライドさせられると、ロックが解除される。これにより、タブレット端末１００をベース装置２００から取り外すことが可能になる。
【００２２】
外部接続端子２４０は、周辺機器と接続するための入出力ポートであり、ＵＳＢ（Universal Serial Bus）、ＨＤＭＩ(登録商標）（High-Definition Multimedia Interface）等の通信インタフェースで構成される。バッテリ２５０は、例えば、充電可能な二次電池（例えば、リチウムイオン電池）である。
【００２３】
タブレット端末１００がベース装置２００に取り付けられると、タブレット端末１００のコネクタ１２０とベース装置２００のコネクタ２２０とが電気的に接続される。これにより、タブレット端末１００内の回路とベース装置２００内の回路との間で信号や電力の伝送が可能となる。例えば、ベース装置２００の操作部２１０及び外部接続端子２４０を介して入力された種々の情報が制御部１４０に送信される。
【００２４】
１．４  着脱検知部の構成
本実施の形態における着脱検知部１３０の一例では、制御部１４０が着脱検知部１３０としても機能する。例えば、タブレット端末１００のコネクタ１２０の端子の１つを着脱検知用端子とする。着脱検知用端子の電圧は、例えば、タブレット端末１００がベース装置２００に取り付けられているときに「Ｈｉｇｈ」に設定され、タブレット端末１００がベース装置２００から取り外されているときに「Ｌｏｗ」に設定される。制御部１４０（着脱検知部１３０）は、着脱検知用端子の電圧を検出することによって、ベース装置２００に対するタブレット端末１００の着脱を検知することができる。
【００２５】
なお、着脱検知部１３０は、ベース装置２００に対するタブレット端末１００の着脱が検知できるものであれば、任意の構成で良い。例えば、本実施の形態における着脱検知部１３０の別の例では、着脱検知部１３０は制御部１４０とは別に設けられる。図３Ａ及び図３Ｂは、制御部１４０とは別に設けられた着脱検知部１３０による、ベース装置２００に対するタブレット端末１００の着脱検知動作を説明した図である。着脱検知部１３０は、磁石２３１と、磁石２３１からの磁界を検出する磁気センサ１３１とを含む。磁石２３１はスライドレバー２３０に取り付けられている。
【００２６】
磁気センサ１３１は、図３Ａに示すように、スライドレバー２３０が操作されていない状態で、磁石２３１の近傍となるコネクタ１２０上の位置に取り付けられる。すなわち、タブレット端末１００がベース装置２００に取り付けられロックされた状態では、図３Ａに示すように、磁石２３１は磁気センサ１３１の近傍に位置する。このとき、ユーザによりタブレット端末１００の取り外しのためにスライドレバー２３０が操作されると、図３Ｂに示すように、スライドレバー２３０の動きに応じて磁石２３１が移動し、磁気センサ１３１から遠ざかる。これにより、磁気センサ１３１が受ける磁界の大きさは、スライドレバー２３０が操作される前よりも、小さくなる。さらに、タブレット端末１００がベース装置２００から取り外されると、磁気センサ１３１は磁石２３１からの磁界をほとんど又は全く受けなくなる。
【００２７】
タブレット端末１００の制御部１４０は、磁気センサ１３１からの検出信号を受信し、磁界の大きさの変化を判定することにより、ベース装置２００に対するタブレット端末１００の装着状態を検出できる。例えば、制御部１４０は、磁界の大きさが第１の所定値よりも大きい場合（磁界の大きさ＞第１の所定値）は、タブレット端末１００がベース装置２００に装着されていて且つスライドレバー２３０が操作されていないと判断する。制御部１４０は、磁界の大きさが、第１の所定値と、第１の所定値よりも小さい第２の所定値との間のとき（第２の所定値≦磁界の大きさ≦第１の所定値）は、タブレット端末１００の取り外しのためにユーザによりスライドレバー２３０が操作されていると判断する。制御部１４０は、磁界の大きさが、第２の所定値よりも小さいとき（磁界の大きさ＜第２の所定値）は、タブレット端末１００がベース装置２００から取り外されていると判断する。これにより、例えば、制御部１４０は、磁気センサ１３１によって検出された磁界の大きさが第１の所定値以上から第１の所定値未満に変化したときに、タブレット端末１００がベース装置２００から取り外されようとしていると判断する。また、制御部１４０は、磁気センサ１３１によって検出された磁界の大きさが第２の所定値未満から第２の所定値以上に変化したときに、タブレット端末１００がベース装置２００に取り付けられようとしていると判断する。
【００２８】
以上のように、着脱検知部１３０は、スライドレバー２３０が操作されることによって、ベース装置２００に対するタブレット端末１００の着脱を検知する。
【００２９】
なお、磁気センサ１３１と磁石２３１の相対位置は、例えば、タブレット端末１００がベース装置２００から実際に取り外されるよりも前にタブレット端末１００の取り外し操作が検出されるような位置に設定される。
【００３０】
２．動作
図４は、制御部１４０によるタッチパネル１１２への入力制御を示している。制御部１４０は、着脱検知部１３０の出力に基づいて、タブレット端末１００の着脱を検知したか否かを判断する（Ｓ１）。制御部１４０は着脱を検知したときに（Ｓ１でＹｅｓ）、タッチパネル１１２の出力に基づいて、手がタッチパネル１１２に触れている否かを判断する（Ｓ２）。
【００３１】
制御部１４０は、手がタッチパネル１１２に触れていることを検出すると（Ｓ２でＹｅｓ）、タッチパネル１１２への入力の受け付けを停止する（Ｓ３）。すなわち、制御部１４０は、タッチパネル１１２への入力を無効にし、タッチパネル１１２への接触に基づいた動作を行わない。これにより、ユーザが、タブレット端末１００を着脱しようとしてタッチパネル１１２に触れてしまった場合に、その接触に基づいて情報処理装置１が誤動作することを防ぐ。
【００３２】
その後、制御部１４０は、タッチパネル１１２の出力に基づいて、手がタッチパネル１１２から離れたか否かを判断する（Ｓ４）。手がタッチパネル１１２から離れると、制御部１４０は入力の受け付けを開始（再開）する（Ｓ５）。すなわち、以後のタッチパネル１１２への入力を有効にする。タブレット端末１００の着脱が完了すると、着脱時に接触していたユーザの手がタッチパネル１１２から一旦離れると考えられる。よって、手がタッチパネル１１２から離れたときに、入力の受け付けを再開することによって、その後のタッチパネル１１２への操作を可能にする。
【００３３】
また、制御部１４０は着脱を検知した状態で、手がタッチパネル１１２に触れていないことを検出したときは（Ｓ２でＮｏ）、入力の受け付けをすぐに開始する（Ｓ５）。すなわち、以後のタッチパネル１１２への入力を有効にする。
【００３４】
なお、手がタッチパネル１１２に触れているときを例にして説明したが、制御部１４０は、ポインティングデバイスがタッチパネル１１２に触れている場合についても同様に、図４に示す入力制御を行う。
【００３５】
３．効果等
本実施の形態の情報処理装置１（電子機器の例）は、ベース装置２００（第１の装置の例）と、ベース装置２００に着脱可能なタブレット端末１００（第２の装置の例）とを含む。タブレット端末１００は、タッチパネル１１２と、制御部１４０と、着脱検知部１３０（検知部の例）とを備える。タッチパネル１１２は、指またはポインティングデバイスの接触を検出する。制御部１４０は、タッチパネル１１２への接触に基づくタッチ操作に応じた処理を実行する。着脱検知部１３０は、ベース装置２００に対するタブレット端末１００の着脱を検知する。制御部１４０は、着脱検知部１３０がベース装置２００に対するタブレット端末１００の取り外し又は取り付けを検知した状態で、タッチパネル１１２が指またはポインティングデバイスの接触を検出した場合、タッチパネル１１２への入力の受け付けを停止する。そして、制御部１４０は、受け付けを停止した後、タッチパネル１１２が、指またはポインティングデバイスがタッチパネル１１２から離れたことを検出したときに、タッチパネル１１２への入力の受け付けを再開する。これにより、ユーザがタブレット端末１００をベース装置２００に対して取り付けまたは取り外そうとして、ユーザの手又はポインティングデバイスがタッチパネル１１２に触れてしまった場合であっても、タッチパネル１１２への入力の受け付けを停止することができる。よって、タブレット端末１００を着脱する際の誤動作を防止することができる。
【００３６】
本実施の形態の入力制御方法は、ベース装置２００（第１の装置の例）と、ベース装置２００に着脱可能なタブレット端末１００（第２の装置の例）とを含む情報処理装置１（電子機器の例）の入力制御方法である。タブレット端末１００は、タッチパネル１１２と、制御部１４０と、着脱検知部１３０とを備える。タッチパネル１１２は、指またはポインティングデバイスの接触を検出する。制御部１４０は、タッチパネル１１２への接触に基づくタッチ操作に応じた処理を実行する。着脱検知部１３０は、ベース装置２００に対するタブレット端末１００の着脱を検知する。この入力制御方法は、着脱検知部１３０がベース装置２００に対するタブレット端末１００の取り外し又は取り付けを検知した状態で、タッチパネル１１２が指またはポインティングデバイスの接触を検出したときに、タッチパネル１１２への入力の受け付けを停止するステップと、受け付けを停止した後、タッチパネル１１２が、指またはポインティングデバイスがタッチパネル１１２から離れたことを検出したときに、タッチパネル１１２への入力の受け付けを再開するステップとを含む。これにより、ユーザがタブレット端末１００をベース装置２００に対して取り付けまたは取り外そうとして、ユーザの手又はポインティングデバイスがタッチパネル１１２に触れてしまった場合であっても、タッチパネル１１２への入力の受け付けを停止することができる。よって、タブレット端末１００を着脱する際の誤動作を防止することができる。
【００３７】
なお、上記入力制御方法をプログラムによってコンピュータに実行させても良い。また、本開示に係る記憶媒体は、上記のプログラムを格納してもよい。
【００３８】
（他の実施の形態）
以上のように、本出願において開示する技術の例示として、実施の形態１を説明した。しかしながら、本開示における技術は、これに限定されず、適宜、変更、置き換え、付加、省略などを行った実施の形態にも適用可能である。また、上記実施の形態１で説明した各構成要素を組み合わせて、新たな実施の形態とすることも可能である。そこで、以下、他の実施の形態を例示する。
【００３９】
上記の実施の形態１においては、図４のステップＳ４において、手が離れたことを検出した後、ステップＳ５において、ベース装置２００に対するタブレット端末１００の装着状態に関わらず、入力の受け付けを開始した。しかし、手が離れた後に入力の受け付けを開始するか否かを、ベース装置２００に対するタブレット端末１００の装着状態に基づいて決定しても良い。例えば、タブレット端末１００がベース装置２００に取り付けられたときは、ステップＳ５を実行せず、入力の受付を停止したままにしても良い。タブレット端末１００がベース装置２００に取り付けられた状態のときは、操作部２１０を介した入力が可能になるため、タッチパネル１１２への入力の受け付けを停止することで、タッチパネル１１２への接触による誤動作を防ぐことができる。
【００４０】
上記実施の形態１においては、電子機器の一例として、所謂デタッチャブル型コンピュータを説明した。しかし、本開示の思想は、タッチパネル１１２を搭載した他の種類の電子機器にも適用することができる。例えば、本開示は、キーボードを備えた外部装置に着脱可能なタブレット端末のようなタッチパネルを搭載した電子機器に対して適用できる。
【００４１】
以上のように、本開示における技術の例示として、実施の形態を説明した。そのために、添付図面および詳細な説明を提供した。したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００４２】
また、上述の実施の形態は、本開示における技術を例示するためのものであるから、請求の範囲またはその均等の範囲において種々の変更、置き換え、付加、省略などを行うことができる。
【産業上の利用可能性】
【００４３】
本開示は、タッチパネルを備えた電子機器に適用可能である。具体的には、本開示は、デタッチャブル型コンピュータ、外部装置に着脱可能なタブレット端末などに適用可能である。
【符号の説明】
【００４４】
１        情報処理装置（電子機器）
１００    タブレット端末（第２の装置）
１１０    タッチスクリーン
１１１    ディスプレイ（表示部）
１１２    タッチパネル
１３０    着脱検知部（検知部）
１４０    制御部
１５０    記憶部
１５１    オペレーティングシステム
１５２    アプリケーションプログラム
１６０    通信部
１７０    バッテリ
２００    ベース装置（第１の装置）
２１０    操作部
２１１    タッチパッド
２１２    キーボード
２３０    スライドレバー
２４０    外部接続端子
２５０    バッテリ
【図１Ａ】
2018123230.tif 000003
【図１Ｂ】
2018123230.tif 000004
【図２】
2018123230.tif 000005
【図３Ａ】
2018123230.tif 000006
【図３Ｂ】
2018123230.tif 000007
【図４】
2018123230.tif 000008
【国際調査報告】
2018123230.tif 000009
2018123230.tif 000010